(57)【特許請求の範囲】
【請求項１】
上腕を挿入するための腕帯部が設けられた筺体と、血圧測定可能な状態まで前記腕帯部に空気を導入して加圧する加圧手段と、前記加圧手段により前記腕帯部の内圧を制御した状態で血管情報を検出する検出手段と、前記検出手段により検出された血管情報から血圧値を決定する決定手段と、前記決定手段により決定された血圧値を表示する表示手段と、を備え、
前記筺体及び前記加圧手段を有する腕帯ユニットと、前記表示手段を有する本体ユニットとを分離独立して構成し、
前記腕帯ユニットと前記本体ユニットとを無線により通信可能とし、
前記腕帯ユニットには制御手段が設けられ、
前記制御手段は、血圧測定の開始が指示されると、初期設定を実行し、前記表示手段の点検を行い、前記腕帯部に内圧が加わっていないことを確認し、この状態での圧力値をゼロに設定した後、前記表示手段への圧力表示を開始し、
更に、血圧測定の開始後、前記腕帯部の電源部としての電池の出力電圧が第１の規定値を下回ったときには電池交換マークを前記表示手段に点滅表示し、前記第１の規定値より低い第２の規定値を下回ったときには前記加圧手段による加圧を停止し、前記腕帯部の急速排気を行い、前記電池交換マークを前記表示手段点滅表示する血圧計であって、
前記本体ユニットは、
前記本体ユニットの正面部に、最高血圧値、最低血圧値、脈拍、脈圧を表示する第１表示部が配置されていることを特徴とする血圧計。
【発明の詳細な説明】
【技術分野】
【０００１】
本発明は、腕帯部が筺体に内蔵された腕挿入型の血圧計に関する。
【背景技術】
【０００２】
従来より、腕帯部と本体部とを分離し、腕帯部が所定の外形を有する筺体に内蔵された血圧計がある（例えば、特許文献１，２参照）。そして、特許文献１では、腕帯部と本体部とが無線で通信することで腕帯部から本体部に測定結果を送信するように構成されている。また、特許文献２では、腕帯部と本体部とが無線又は有線（ケーブル）で通信することで腕帯部から本体部に測定結果を送信するように構成されている。
【先行技術文献】
【特許文献】
【０００３】
【特許文献１】特開平５−５６９３８号公報
【特許文献２】特開２０００−８３９１２号公報
【発明の概要】
【発明が解決しようとする課題】
【０００４】
ここで、上腕を挿入する腕帯部や腕帯部への加圧機構等を含む腕帯ユニットと、表示パネル等を含む本体ユニットとを分離独立して構成した血圧計は未だ提案がされていない。また、腕帯ユニットと本体ユニットとを分離独立して構成した場合、使い勝手が悪くならないようにする必要もある。
【０００５】
本発明は、上記課題に鑑みてなされ、その目的は、上腕を挿入する腕帯部や腕帯部への加圧機構等を含む腕帯ユニットと、表示パネル等を含む本体ユニットとを分離独立して構成し、使い勝手の良い血圧計を実現することである。
【課題を解決するための手段】
【０００６】
上述の課題を解決し、目的を達成するために、本発明の血圧計は、上腕を挿入するための腕帯部が設けられた筺体と、血圧測定可能な状態まで前記腕帯部に空気を導入して加圧する加圧手段と、前記加圧手段により前記腕帯部の内圧を制御した状態で血管情報を検出する検出手段と、前記検出手段により検出された血管情報から血圧値を決定する決定手段と、前記決定手段により決定された血圧値を表示する表示手段と、を備え、前記筺体及び前記加圧手段を有する腕帯ユニットと、前記表示手段を有する本体ユニットとを分離独立して構成し、前記腕帯ユニットと前記本体ユニットとを無線により通信可能とし、前記腕帯ユニットには制御手段が設けられ、前記制御手段は、血圧測定の開始が指示されると、初期設定を実行し、前記表示手段の点検を行い、前記腕帯部に内圧が加わっていないことを確認し、この状態での圧力値をゼロに設定した後、前記表示手段への圧力表示を開始し、更に、血圧測定の開始後、前記腕帯部の電源部としての電池の出力電圧が第１の規定値を下回ったときには電池交換マークを前記表示手段に点滅表示し、前記第１の規定値より低い第２の規定値を下回ったときには前記加圧手段による加圧を停止し、前記腕帯部の急速排気を行い、前記電池交換マークを前記表示手段点滅表示する血圧計であって、前記本体ユニットは、前記本体ユニットの正面部に、最高血圧値、最低血圧値、脈拍、脈圧を表示する第１表示部が配置されている。
【発明の効果】
【０００７】
以上説明したように、本発明によれば、上腕を挿入する腕帯部や腕帯部への加圧機構等を含む腕帯ユニットと、表示パネル等を含む本体ユニットとを分離独立して構成し、腕帯ユニットと本体ユニットとを無線通信可能に接続したので、使い勝手の良い血圧計を実現できる。
【０００８】
また、腕帯ユニットと本体ユニットとをコネクタ等を差し込む等して接続する必要がないので、従来問題となっていたコネクタ部分の汚れやゴミ等による接続不良や掃除が不要となり、利便性が高まる。
【図面の簡単な説明】
【０００９】
【図１】本発明に係る実施形態の血圧計の外観斜視図である。
【図２】本実施形態の腕帯ユニットのアームレストの収納位置（ａ）及び開放位置（ｂ）を示す外観斜視図である。
【図３】本実施形態の本体ユニットの正面図（ａ）、上面面（ｂ）、及び背面図（ｃ）である。
【図４】本発明に係る実施形態の血圧計のブロック図である。
【図５】本実施形態の血圧計による血圧測定動作を示すフローチャートである。
【図６】本実施形態の血圧計による血圧測定動作を示すフローチャートである。
【図７】本実施形態の血圧計によるバッテリーチェックを示すフローチャートである。
【図８】本実施形態の本体ユニットにおける測定結果の表示例（ａ）、（ｂ）を示す図である。
【発明を実施するための形態】
【００１０】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。
【００１１】
［装置の説明］
図１は、本発明に係る実施形態の血圧計の外観斜視図である。図２は、本実施形態の腕帯ユニットのアームレストの収納位置（ａ）及び開放位置（ｂ）を示す外観斜視図である。図３は、本実施形態の本体ユニットの正面（ａ）、上面図（ｂ）、及び背面図（ｃ）である。
【００１２】
図１乃至図３に示すように、本実施形態の血圧計１は、血圧測定時に上腕を圧迫する腕帯部２が、所定の自立型（縦型）の外形を有するハウジング３に内蔵された腕帯ユニット１０と、腕帯ユニット１０に対して無線通信可能な本体ユニット５０とがそれぞれ別体に構成されており、従来のように測定者の上腕に腕帯を巻き付ける必要がなく、左右いずれの上腕でも血圧測定が可能な腕挿入型の血圧計である。
【００１３】
ハウジング３には、測定者が腕を差し込むための開口部４が形成されており、この開口部４の内周面に腕帯部２が配置される。腕帯部２は上腕への挿入孔を形成する可撓性の布袋やゴム袋からなる。ハウジング３の上面部３ａには、測定を開始するための開始スイッチ（ＳＷ）１１、測定を停止する（緊急排気する）ための停止スイッチ（ＳＷ）１２、記憶禁止スイッチ（ＳＷ）１３などの操作部が設けられている。更に、ハウジング３の側面部３ｂにはＡＣアダプタの差込口１４、前面部３ｃには電池収納部１５が設けられている。
【００１４】
また、ハウジング３の背面部３ｄには測定者の肘を置くためのアームレスト６が設けられている。このアームレスト６は、ハウジング３の背面下部のヒンジ部７に対して、腕帯部２を閉塞する収納位置（図２（ａ）参照）と、腕帯部２を開放して上腕の挿入を可能とする開放位置（図２（ｂ）参照）との間で回動可能に軸支されている。
【００１５】
また、アームレスト６における腕を受ける支持面（表面）には、そのヒンジ部７から自由端部に亘って凹曲面状の溝部９が形成されており、上腕を正しい位置に案内する機能を持っている。
【００１６】
また、ハウジング３の背面３ｄはアームレスト６の外形に合致する形状を有し、アームレスト６の裏面は平滑な面を有しているので、アームレスト６は収納位置において形状的に突出した部分がなくハウジング３の外形と一体化する（図２（ａ）参照）。
【００１７】
アームレスト６は、ヒンジ部７にカム状部分を形成する等して開閉時に節度を持たせることによって、不使用時に収納位置から開放位置への倒れを防止し、収納位置に保持される。そして、アームレスト６を開放位置に開く際には、片手で腕帯ユニット１０を押さえながら、アームレスト６に形成された突起部８を後方に押せばよい。これにより、不使用時にはコンパクトに収納できて省スペース化を図ることができる。
【００１８】
本体ユニット５０には後述する通信部８４（図４参照）が設けられており、腕帯ユニット１０に設けられた通信部２８（図４参照）との間で赤外線や電波（例えば、Bluetooth（登録商標））を用いた無線通信が可能となっている。
【００１９】
本体ユニット５０の正面部には、最高血圧値、最低血圧値、脈拍、脈圧を表示する第１表示部５１と、過去の測定結果（血圧値及び測定日時）を最近のものから所定回数分（２０回）を同時にグラフ表示する第２表示部５２とが並列に配置されている。第１及び第２表示部５１，５２はいずれもＬＣＤパネルからなる。また、本体ユニット５０の正面部の下部には、最近測定した所定回数分（例えば、２０回分）の血圧値の平均値を表示するための平均スイッチ（ＳＷ）５３、最近の血圧値から順番に最高血圧値と最低血圧値が帯状に表示された複数のグラフから任意のグラフを選択状態にするためのグラフ移動スイッチ（ＳＷ）５４が設けられている。平均スイッチ５３は時刻等を設定するための決定スイッチ（ＳＷ）を兼ねる。
【００２０】
また、本体ユニット５０の上面部には、本体ユニット５０の電源のＯＮ／ＯＦＦ並びに表示部５１，５２のＯＮ／ＯＦＦを行う表示ＯＮスイッチ（ＳＷ）５５、測定者を切り替えるためのユーザ切替スイッチ５６、血圧値の平均値を月ごとに表示する月表示スイッチ（ＳＷ）５７、朝／夕の血圧値、脈拍、脈圧の各表示又は全表示を切り替える表示切替スイッチ（ＳＷ）５８が設けられている。ユーザ切替スイッチ５６はＡ又はＢのいずれかにセットすることができ（つまり、２人分）、Ａ又はＢ側にセットすることでいずれかの測定者の測定結果及びグラフが表示される。
【００２１】
また、本体ユニット５０の背面部には、電池収納部５９、本体ユニット５０のリセット及び記憶した測定データを消去するためのリセットスイッチ６０、時計又はアラーム時刻を設定するための時間・アラーム設定切替スイッチ（ＳＷ）６１、予め設定された時刻にアラームを鳴らして測定者に測定時間を知らせるためのアラームＯＮ／ＯＦＦスイッチ６２が設けられている。
【００２２】
第１表示部５１及び第２表示部５２には、測定値やトレンドグラフのほか、測定中であることを表すキャラクタや測定中のグラフの点滅表示等が行われる。また、その他の表示として加圧や減圧（排気）等を表わす表示も行われる。
【００２３】
図４は、本発明に係る実施形態の血圧計のブロック図である。
【００２４】
図４に示すように、腕帯ユニット１０には、血圧測定開始時に腕帯部２にエアを供給するポンプ部２１、所定の圧力まで加圧された腕帯部２のエアを一定の速度で減圧していく減圧制御部２２、腕帯部２内部のエアを強制的に排気する強制排気部２３、測定者の血流音を検知するマイク部２４、外部からマイク部２４に入る振動ノイズを検知するノイズセンシング部２５を備える。なお、マイク部２４は腕帯部２に内蔵されている。ノイズセンシング部２５はブザー板等の振動センサからなり、腕帯ユニット１０が置かれた測定台から伝わる振動やハウジング３に触れたときに入る振動等を振動ノイズとして検知する。
【００２５】
また、コロトコフ音法による血圧測定を行う場合、腕帯部２には、一対（２個）のマイク部２４が開口部４に対して互いに対向した位置（上腕の動脈に近い位置と遠い位置）に配置されている。そして、マイク部２４の一方に近い位置（上腕の動脈から遠い位置）のハウジング３に振動センサが配置され、マイク部２４は振動センサと同様の振動ノイズに反応することが判明している。このため、この一方のマイク部２４を振動センサとして兼用し、振動センサを廃止することもできる。
【００２６】
更に、腕帯ユニット１０には、上述した開始スイッチ１１、停止スイッチ１２、記憶禁止スイッチ１３のほか、腕帯ユニット電源部２６、ＡＣアダプタ部２７、本体ユニット５０や外部機器との間で赤外線や電波を用いた無線通信を可能とする通信部２８を備える。腕帯ユニット電源部２６は、上述した電池収納部１５に収納された複数本（４本）の単３形乾電池からなり、ＤＣ６Ｖの直流電源を構成する。ＡＣアダプタ部２７は、上述した差込口１４に接続されて定格１００Ｖの交流電源を構成する。
【００２７】
記憶禁止スイッチ１３は、開始スイッチ１１を押下した後（測定開始後）、又は測定結果を表示した後一定時間以内に記憶禁止スイッチ１３を押下することで、例えば、今回の測定結果を本体ユニット５０のメモリ部８１に記憶しないようにする機能を有している。
【００２８】
また、腕帯ユニット１０には制御部３１が搭載されている。そして、制御部３１には、腕帯部２内部の圧力を検出する圧力検出部３２、マイク部２４の検知信号を信号処理するフィルタアンプ部３３、ポンプ部２１を駆動するポンプ駆動部３４、減圧制御部２２の減圧弁を駆動する減圧弁駆動部３５、強制排気部２３の排気弁を駆動する排気弁駆動部３６、ノイズセンシング部２５の検知信号を信号処理するフィルタアンプ部３７、腕帯ユニット電源部２６、ＡＣアダプタ部２７が接続されている。
【００２９】
圧力検出部３２は、腕帯部２の内圧を電気信号に変換、増幅した後、Ａ／Ｄ変換によりデジタル信号に変換して制御部３１に出力する。制御部３１に入力されたデジタル信号は順次圧力値に変換され、通信部２８を介して本体ユニット５０に送信される。
【００３０】
フィルタアンプ部３３は、マイク部２４による検知信号を電気信号に変換、増幅した後、Ａ／Ｄ変換によりデジタル信号に変換して制御部３１に出力する。制御部３１は、制御部３１に入力されたデジタル信号からコロトコフ（Ｋ）音と、その発生ポイントと消滅ポイントを検出することにより、最高血圧及び最低血圧を算出し、通信部２８を介して本体ユニット５０に送信する。
【００３１】
また、制御部３１は、上記圧力値から得られる血管脈動（振動脈波）及び／又はＫ音の出現間隔から脈拍数を算出し、通信部２８を介して本体ユニット５０に送信する。
【００３２】
フィルタアンプ部３７は、ノイズセンシング部２５の検知信号に対しノイズ成分のフィルタリングやフィルタリング後の信号成分を増幅して制御部３１に出力する。
【００３３】
ポンプ駆動部３４、減圧弁駆動部３５、排気弁駆動部３６は、それぞれ制御部３１からの制御信号に基づいてポンプ部２１、減圧制御部２２、強制排気部２３を駆動する。
【００３４】
一方、本体ユニット５０には制御部７１が搭載されている。そして、制御部７１には、本体ユニット電源部７８、時計機能を有するクロック回路８０、血圧値や測定時刻データなどを記憶する不揮発性メモリ等からなるメモリ部８１、アラーム音を発生するブザー部８２、腕帯ユニット１０や外部機器との間で赤外線や電波を用いた無線通信を可能とする通信部８４が接続されている。
【００３５】
制御部７１は、腕帯ユニット１０から受信した腕帯部２内部の圧力値を表示信号に変換して表示部５１，５２に出力する。
【００３６】
また、制御部７１は、腕帯ユニット１０から受信したマイク部２４による検知信号からコロトコフ（Ｋ）音と、その発生ポイントと消滅ポイントを検出することにより、最高血圧及び最低血圧を算出し、表示信号として表示部５１，５２に出力する。
【００３７】
また、制御部７１は、上記圧力値から得られる血管脈動及び／又はＫ音の出現間隔から脈拍数を算出し、血圧値と共に表示信号として表示部５１，５２に出力する。
【００３８】
更に、制御部７１は、最高血圧値と最低血圧値との差から脈圧を算出し、上記表示切替スイッチ５８により脈圧表示操作がなされた際に、表示信号として表示部５１，５２に出力する。
【００３９】
本体ユニット電源部７８は、上述した電池収納部５９に収納された複数個（２個）のリチウムボタン電池からなる。
【００４０】
メモリ部８１はユーザ切替スイッチ５６により設定されたユーザＡ，Ｂの各測定値を異なる領域に記憶する。また、メモリ部８１は、ユーザ切替スイッチ５６により設定されたユーザＡ，Ｂの各測定値を読み出して制御部７１に出力する。メモリ部８１は約７３０回分（１日２回（朝夕）の測定で３年分の生データ、又は６０ヶ月分の月平均データ）の測定値が記憶できる容量を有する。
【００４１】
更に、制御部７１には、上述した第１表示部５１、第２表示部５２、平均スイッチ５３、グラフ移動スイッチ５４、表示ＯＮスイッチ５５、ユーザ切替スイッチ５６、月表示スイッチ５７、表示切替スイッチ５８、リセットスイッチ６０、時間・アラーム設定切替スイッチ６１、アラームＯＮ／ＯＦＦスイッチ６２が接続されている。
【００４２】
制御部３１，７１には、ＣＰＵ、ＲＯＭ、ＲＡＭ、インターフェース回路等が搭載されている。本実施形態では血圧測定方式としてリバロッチ・コロトコフ法が適用されるが、圧脈波（オシロメトリック法）等の他の測定方式も適用可能であり、この場合にはマイク部２４は不要である。制御部７１は、ＲＯＭに記憶された血圧測定プログラムの手順に従って、上述した各スイッチからの操作信号を入力する。そして、制御部７１は、腕帯ユニット１０の各センサ類２４，２５，７２からの検知信号に基づいて腕帯ユニット１０のポンプ駆動部７４、減圧弁駆動部７５、排気弁駆動部７６に対し駆動信号を出力する。また、制御部７１は、マイク部２４のＫ音信号から血圧や脈拍などの値を求め、これらの値をメモリ部８１に格納すると共に、表示部５１，５２に対し表示信号を出力する。また、制御部７１は、ノイズセンシング部２５で検知された振動ノイズが所定値以上の場合、マイク部２４で検知されたＫ音信号をキャンセルし、振動ノイズの影響を除去している。
【００４３】
本体ユニット５０は、通信部８４を介してＰＣやプリンタなどの外部機器や、体温計、体重計、血糖値測定器、歩数計などの各測定機器に接続可能であり、これらの各測定データを入力してメモリ部８１に記憶したり、プリンタに出力したり、ＰＣにダウンロードすることができる。よって、例えば、医師は、測定者の所持する本体ユニットから自宅で測定した血圧値等を容易にプリントアウトしたり、ＰＣにダウンロードすることができる。
【００４４】
［動作説明］
図５及び図６は、本発明に係る実施形態の血圧計による血圧測定動作を示すフローチャートである。
【００４５】
なお、以下の各ステップは、制御部３１，７１のＣＰＵ（演算処理部）がＲＯＭに記憶されたプログラムを実行することにより実現されるものである。
【００４６】
図５において、開始スイッチ１１が押下されると、初期設定を実行する（Ｓ１０１）。次に、表示部５１，５２の点検（約１秒間全セグメントを点灯させる）を行う（Ｓ１０２）。次に、腕帯部２に内圧が加わっていないことを確認し、この状態での圧力値をゼロに設定する（Ｓ１０３）。その後、表示部５１，５２への圧力表示を開始する（Ｓ１０４）。
【００４７】
次に、強制排気部２３の排気弁を閉じ、ポンプ部２１を作動して加圧を開始する（Ｓ１０５）。次に、ポンプ部２１により腕帯部２を加圧し、腕帯部２の内圧が適正圧力値に達したならば（Ｓ１０６）、ポンプ部２１による加圧を停止する（Ｓ１０７）。次に、減圧制御部２２による減圧制御を開始し（Ｓ１０８）、血圧測定動作を開始する（Ｓ１０９）。また、減圧制御中に加圧不足と判定されたならば（Ｓ１１０）、再加圧を行い（Ｓ１１１）、減圧制御を再度開始する（Ｓ１０８）。
【００４８】
続く図６のＳ１１２では、Ｋ音信号を検出し、最初のＫ音信号が検出された時点の圧力を最高血圧に設定する。更に、減圧を続け、Ｋ音信号が検出されなくなったら、最後のＫ音信号が検出された時点の圧力を最低血圧に設定する（Ｓ１１３）。また、Ｓ１１３では、上記血圧値から得られる血管脈動又はＫ音の出現間隔から脈拍数を算出する。
【００４９】
最低血圧が設定されると強制排気部２３の排気弁を開け減圧制御を停止し（Ｓ１１４）、血圧値と脈拍数を同時に表示する（Ｓ１１５）。その後、測定を続ける場合は、開始スイッチ１１を押し（Ｓ１１６）、停止スイッチ１２が押されるか、Ｓ１１８で測定結果を表示する。視覚的には、図８（ａ）に例示するように、第１表示部５１には今回の測定結果である最高血圧、最低血圧、脈拍数の各数値が表示され、第２表示部５２には今回の測定結果（最高血圧から最低血圧までの長さ）がグラフで点滅表示される。また、図８（ｂ）に例示するように、第２表示部５２には、測定をするごとに最近の２０回までの測定結果が順にグラフで表示される。
【００５０】
そして、停止スイッチ１２が押されないまま所定時間（秒）γが経過した時点で電源をオフして本フローを終了する（Ｓ１１７〜Ｓ１１９）。
【００５１】
また、腕帯ユニット１０の制御部３１は、Ｓ１０１の初期設定において、図７に示すバッテリーチェックを実行する。
【００５２】
図７では、腕帯ユニット電源部２６の出力電圧Ｖが規定値Ｘ（３．７±０．２Ｖ）を下回ったときには電池交換マークを点滅表示し（Ｓ１２１，Ｓ１２２）、規定値Ｙ（Ｘ−０．１±０．０５Ｖ）を下回ったときにはポンプ部２１を停止し、強制排気部２３の排気弁を開けて腕帯部２の急速排気を行い、電池交換マークを点滅表示する（Ｓ１２３〜Ｓ１２６）。
【００５３】
上記実施形態によれば、腕帯ユニット１０と本体ユニット５０とを分離独立して構成し、両ユニットを赤外線又は電波を用いて無線通信可能に構成したので使い勝手の良い血圧計を実現できる。
【００５４】
また、腕帯ユニット１０と本体ユニット５０とをコネクタ等を差し込む等して接続する必要がないので、従来問題となっていたコネクタ部分の汚れやゴミ等による接続不良や掃除が不要となり、利便性が高まる。
【符号の説明】
【００５５】
１  血圧計、２  腕帯部、３  ハウジング、４  開口部、６  アームレスト、７  ヒンジ部、８  突起部、９  溝部、１０  腕帯ユニット、１１  開始スイッチ（ＳＷ）、１２  停止（緊急排気）スイッチ（ＳＷ）、１３  記憶禁止スイッチ（ＳＷ）、１４  ＡＣアダプタの差込口、１５  電池収納部、２１  ポンプ部、２２  減圧制御部、２３  強制排気部、２４  マイク部、２５  ノイズセンシング部、２６  腕帯ユニット電源部、２７  ＡＣアダプタ部、２８  通信部、３１  制御部、３２  圧力検出部、３３  フィルタアンプ部、３４  ポンプ駆動部、３５  減圧弁駆動部、３６  排気弁駆動部、３７  フィルタアンプ部、５０  本体ユニット、５１  第１表示部、５２  第２表示部、５３  平均スイッチ（ＳＷ）、５４  グラフ移動スイッチ（ＳＷ）、５５  表示ＯＮスイッチ（ＳＷ）、５６  ユーザ切替スイッチ、５７  月表示スイッチ（ＳＷ）、５８  表示切替スイッチ（ＳＷ）、５９  電池収納部、６０  リセットスイッチ（ＳＷ）、６１  時間・アラーム設定切替スイッチ（ＳＷ）、６２  アラームＯＮ／ＯＦＦスイッチ（ＳＷ）、７１  制御部
７８  本体ユニット電源部、８０  クロック回路、８１  メモリ部、８２  ブザー部、８４  通信部
【図１】
0005411246.tif 000002
【図２】
0005411246.tif 000003
【図３】
0005411246.tif 000004
【図４】
0005411246.tif 000005
【図５】
0005411246.tif 000006
【図６】
0005411246.tif 000007
【図７】
0005411246.tif 000008
【図８】
0005411246.tif 000009